(57)【特許請求の範囲】
【請求項１】
前面側に目安設定時刻を修正する目安修正機構を有し、該目安設定時刻にベル音が鳴動する目覚時計において、
貫通孔を内部に形成する取付パイプを備えた地板と、
中央部に前記取付パイプに嵌合する取付孔を備えたお碗形状のリンと、
駆動軸を有し、該駆動軸に取り付けられて前記リンを叩打可能な叩打部を備えたモータと、
前記リンの内部に収納されたムーブメントと、を有し、
前記ムーブメントの修正軸を前記貫通孔に貫通させたことを特徴とする目覚時計。
【発明の詳細な説明】
【０００１】
【産業上の利用分野】
本発明は、目安設定時刻になるとベル音が鳴動する目覚時計に関する。
【０００２】
【従来の技術】
従来の目覚時計は、一般的には、打鈴機構を目覚時計の内部に収納しており、お碗形状のリンの近傍にモータを配置し、モータで撞木板を駆動し、リンの外周面を打つ機構が知られている。図２に示すように、地板６の載置部６ａ上には、にはリン２を支持するためのボスが形成されており、一方リン２の中央部には取付孔２ａが形成され、ボスの外周部に取付孔２ａを嵌合させた後、ナット１６をボスの外周に締めつけることにより、リン２を地板６に固着している。
【０００３】
リン２の外周部近傍には、モータ４が支持板１８により地板６に固定されている。このようなモータ４は、一端側に設けられた駆動軸４ｄを回転駆動するための機構を内蔵して円柱形状をなすモータ本体４ａと、駆動軸４ｄに固着された撞木板４ｂと、該撞木板４ｂの両端部に遊嵌された２個の打ち玉４ｃ，４ｃと、モータ本体４ａの他端側に設けられた２個の電源端子４ｅ，４ｅとにより構成されており、目安設定時刻に撞木板４ｂが回転駆動することにより、打ち玉４ｃ，４ｃがリン２の上端外周面を叩き、ベル音が発生する。
【０００４】
また、前板１０の前面には文字板１２が設けられ、前板１０の裏面にはムーブメント１４を取り付けている。このムーブメント１４は、目覚時計１の薄型化を成しえるために、図２に示すように、リン２の内部に収納されている。ムーブメント１４の背面側には、時刻を修正するための時刻修正軸１４ａが突出して設けられており、時刻修正軸１４ａを目覚時計１の背面側から操作することにより、文字板１２上の指針を動かして、時刻を修正することが可能となっている。また、ムーブメント１４の背面側には、図示しないムーブメントの内部に収納された目安車を回転させて文字板上の目安針を修正する目安修正軸１４ｂが突出して設けられている。この目安修正軸１４ｂも、目覚時計１の背面側から操作することにより、目安設定時刻の修正が可能となっている。
【０００５】
即ち、リン２の偏心位置に２個の円形の挿通孔２ｂ，２ｃと地板６に設けた２個の挿通孔６ｄ，６ｅを形成し、この挿通孔２ｂと挿通孔６ｄに時刻修正軸１４ａを挿通させ、挿通孔２ｃと挿通孔６ｅに目安修正軸１４ｂを挿通させることにより、目覚時計の背面側から時刻修正軸１４ａ及び目安修正軸１４ｂを操作して、時刻及び目安設定時刻の修正が可能となっている。
【０００６】
目安修正軸をムーブメントの背面側に設けるのではなく、実開昭６１−１６７５７９号公報に示すような、目安軸に取り付けられた目安円板と枠体に対して回転可能な風防部材を係合させて、該風防部材を回転させることにより、目安軸を回転して、目安設定時刻を修正する目安修正機構が知られている。
【０００７】
【発明が解決しようとする課題】
従来の目覚時計は、リン２の偏心位置に挿通孔２ｂ，２ｃと、地板６に設けた挿通孔６ｄ，６ｅを設けなければならず、また、組み立て段階において、挿通孔２ｂと挿通孔６ｄの位置を対応させてリン２と地板６を固着しなければならず、仮に、このリンの挿通孔と地板の挿通孔の位置がずれて固着されてしまうと、時刻修正軸１４ａ目安修正軸１４ｂを挿通しようとしたとき、挿通孔２ｂ，２ｃ或いは挿通孔６ｄ，６ｅと時刻修正軸１４ａ，目安修正軸１４ｂとが係合して、組み立てをやり直さなければならないという問題があった。
【０００８】
そこで本発明はかかる従来の課題に鑑みてなされたものであり、その目的は、お碗状のリンの内部にムーブメントを収納するとき、リン或いは地板と修正軸が係合するを回避し、リンと地板の取付部と時刻修正軸の挿通孔を兼用することにより、部品の簡略化を成しえた目覚時計を提供することにある。
【０００９】
【課題を解決するための手段】
上記課題を解決するために、前面側に目安設定時刻を修正する目安設定機構を有し、目安設定時刻にベル音が鳴動する目覚時計において、貫通孔を形成する取付パイプを備えた地板と、中央部に取付パイプに嵌合する取付孔を備えたお碗形状のリンと、駆動軸を有し、駆動軸に取り付けられてリンを叩打可能な叩打部を備えたモータと、リンの内部に収納されたムーブメントと、を有し、ムーブメントの修正軸を前記貫通孔に貫通させた。
【００１０】
上記構成により、目安設定時刻を修正する目安修正機構を時計の前面側に設けて、時計の背面側より突出する時刻修正軸を取付パイプの貫通孔に挿通させたので、時刻修正軸又は目安修正軸と挿通孔が係合する事態を回避することができる。また、リンと地板の取付部と時刻修正軸の挿通孔を兼用することにより、部品の簡略化を成しえた。
【００１１】
【発明の実施の形態】
以下に本発明の目覚時計に関し、本具体例を図１に基づいて説明する。図１は目覚時計の内部の状態を示した側面図である。なお、説明しやすいように、所々の構成を断面で示した。また、従来の例と同一の構成のものにおいては、同一の符号を付した。
【００１２】
本具体例の目覚時計１は、目安設定時刻になると、ムーブメント１４の内部に収納された図示しない目安接点機構の接点がオン状態となることにより、モータ４の駆動軸４ｄを回転駆動させて、該駆動軸４ｄの先端部分に固着された叩打部によりリン２を叩きベル音を鳴動させ、使用者に目安設定時刻であることを報知するものである。なお、本具体例の目覚時計１は、リン２と、叩打部を有して該叩打部を回転駆動させることによりリンを叩くモータ４と、該モータ４を支持する支持板１８と、支持板１８及びリン２を支持する地板６と、前板１２に固着されたムーブメント１４を有している。
【００１３】
このようなモータ４は、一端側に設けられた駆動軸４ｄを回転駆動するための機構を内蔵して円柱形状をなすモータ本体４ａと、駆動軸４ｄに固着された撞木板４ｂと、該撞木板４ｂの両端部に遊嵌された２個の打ち玉４ｃ，４ｃと、モータ本体４ａの他端側に設けられた２個の電源端子４ｅ，４ｅとにより構成されている。なお、この２個の電源端子の一方は、リード線を介して図示しない電池等の電源のプラス極に接続されるものであり、また、他方はリード線を介して図示しない電池等の電源のマイナス極に接続されるものである。
【００１４】
モータ４は支持板１８により地板６に固着されており、支持板６は長方形の平板の両端をそれぞれ反対方向に約９０度折り曲げることにより、側面視クランク軸形状を成すように形成されて、折り曲げた２個の支持部の一方をモータ本体４ａに固定し、他方を地板６に固定することにより、モータ４を地板６に固着している。
【００１５】
次に本具体例のリン２について説明する。リン２は、上端が開口するお碗形状を成しており、中央部には後述する地板の取付パイプに嵌合する取付孔２ａが設けられている。
【００１６】
次に、地板６について説明する。平板形状を有する地板６には、リン２を支持するために、リン２の中央部を支持する中空の載置部６ａと該載置部６ａから突出する取付パイプ６ｃを有している。この取付パイプ６ｃは内部が貫通して貫通孔６ｂを形成しており、該取付パイプ６ｃの外周はネジ溝が形成されている。なお、この取付パイプ６ｃの外径は略リン２の取付孔２ａの内径と略等しく設定されている。
【００１７】
前板１０の前面には文字板１２が設けられ、前板１０の裏面にはムーブメント１４が固定されている。このムーブメント１４は時計の薄型化を成しえるためにリン２の内部に収納されている。通常、ムーブメントの背面には、時刻を修正するための時刻修正軸１４ａが突出して設けられている。このムーブメント１４をリン２に収納するとき、この地板６に設けた貫通孔６ｂ内に時刻修正軸１４ａを挿通させることにより、時刻修正軸１４ａを地板６の裏面側に位置させることができる。従って、取付パイプ６ｃはリン２を支持すると共に、時刻修正軸１４ａを地板６の裏面側へ貫通させているので、従来のようにリンに挿通孔を設ける必要がなく、構造が簡単になる。
【００１８】
次に、本具体例の目安修正機構について説明する。本具体例の目安修正機構は、枠体に遊嵌されて回転可能な透明プラスチックで成形された円柱状の風防部材２２と、ムーブメント１４の図示しない目安車に一体成形された目安パイプ１４ｃに固着された目安円板２０とにより構成されている。また、この風防部材２２の内周面と目安円板２０の外周部は係合しており、風防部材２２を回転操作することにより、図示しない目安車を回転させることができ、即ち、目安設定時刻の修正をすることができる。なお、風防部材２２の外周部には突起が形成されており、この突起と枠体の内周に設けた溝とを遊嵌させることにより、風防部材２２が枠体に対して回転することができ、また、枠体から風防部材２２が脱落することを防止している。
【００１９】
このような目覚時計１を組み立てるときには、まず、地板６の取付パイプ６ｃにリン２の取付孔２ａを嵌合させて、リング状のナット６ｃを取付パイプ６ｃに螺着させて、地板６にリン２を固着している。また、クランク形状で２個の支持部を有する支持部材１８の一方の支持部をモータ本体に固定して、他方の支持部を地板６に螺着させることにより、地板６にモータ４を固定している。なお、このモータ４は、リン２の外周近傍に位置するように地板６に固定されている。従って、駆動軸４ｄが回転駆動すると、打ち玉４ｃ，４ｃがリン２の外周に衝突することによりベル音の発生が可能となる。次に、ムーブメント１４の背面側から突出する時刻修正軸１４ａを貫通孔６ｂに挿通させつつ、ムーブメント１４をリン２の内部に収納している。
【００２０】
【発明の効果】
以上説明したように、本発明によれば、前面側に目安設定時刻を修正する目安修正機構を有し、目安設定時刻にベル音が鳴動する目覚時計において、貫通孔を形成する取付パイプを備えた地板と、中央部に取付パイプに嵌合する取付孔を備えたお碗形状のリンと、駆動軸を有し、駆動軸に取り付けられてリンを叩打可能な叩打部を備えたモータと、リンの内部に収納されたムーブメントと、を有し、ムーブメントの修正軸を前記貫通孔に貫通させた。
【００２１】
よって、上記構成により、目安設定時刻を修正する目安設定機構を時計の前面側に設けて、時計の背面側より突出する時刻修正軸を取付パイプの貫通孔に挿通させたので、時刻修正軸又は目安修正軸と挿通孔が係合する事態を回避することができるので、組み立てやすくなる。また、リンと地板の取付部と時刻修正軸の挿通孔を兼用することにより、部品の簡略化を成しえる。
【図面の簡単な説明】
【図１】本具体例の目覚時計の内部を示す側面図。
【図２】従来の目覚時計に内部を示す側面図。
【符号の説明】
１              目覚時計
２              リン
２ａ            取付孔
４              モータ
４ａ            モータ本体
４ｂ            撞木板
４ｃ            打ち玉
４ｄ            駆動軸
６              地板
６ａ            載置部
６ｂ            貫通孔
６ｃ            取付パイプ
１０            前板
１２            文字板
１４            ムーブメント
１４ａ          時刻修正軸
１４ｃ          目安パイプ
１６            ナット
１８            支持部材
２０            目安円板
２２            風防部材
【図１】
0003573999.tif 000002
【図２】
0003573999.tif 000003